(57)【特許請求の範囲】
【請求項１】
天板と、この天板の下面に添設された補強ビームと、この補強ビームに関連させて前記天板の下面に取付けられた脚とを具備してなるテーブルであって、
前記天板が、他の天板を連接可能な連接端を備えた平面視四角形状のものであり、前記補強ビームの特定の側面に沿う位置に前記脚を取付けるための取付部を複数備えたものであり、
前記補強ビームが、前記特定の側面を前記連接端に平行に臨ませたものであり、前記特定の側面のみに、複数の取付位置において前記脚と係合し得る係合部を備えたものであり、
前記脚が、前記何れかの係合部に係合した状態で対応する取付部に取付けられているものであり、
前記補強ビームが、前記天板の連接端との間に前記取付部を設け得る距離をあけて内側に控えた位置に配されているテーブル。
【請求項２】
前記天板の連接端側のコーナー部近傍に第一の取付部を設けるとともに前記コーナー部よりも内側に位置する部位に第二の取付部を設けている請求項１記載のテーブル。
【請求項３】
前記脚が、前記補強ビームの係合部の何れかに係わり合わせて前記天板の対応する取付部に取付けられたブラケットと、このブラケットに止着された脚本体とを備えたものである請求項１又は２記載のテーブル。
【請求項４】
前記取付部が、前記天板の下面に埋設ナットを一定のパターンで配置してなるものであり、前記ブラケットが、前記複数の埋設ナットに対応する部位にボルト挿通孔を有したものである請求項３記載のテーブル。
【請求項５】
前記係合部が、前記補強ビームの前記側面に凹凸係合部分を設けたものであり、前記ブラケットが、前記側面に当接するビーム係接面を有し、そのビーム係接面に前記凹凸係合部分に係合する係合要素を設けたものである請求項３又は４記載のテーブル。
【請求項６】
前記ブラケットが、略直交する一対のビーム係接面を有し、前記各ビーム係接面に前記係合要素がそれぞれ設けられたものであり、何れかの一方のビーム係接面を前記補強ビームに当接させて前記取付部に取り付けられるものである請求項５記載のテーブル。
【請求項７】
前記凹凸係合部分が、丸孔状のものであって、水平方向に間隔をあけて前記補強ビームに一対設けられており、前記係合要素が突起状のものであって、水平方向に間隔をあけて前記ブラケットのビーム係接面に一対設けられている請求項６記載のテーブル。
【請求項８】
天板と、この天板の下面に添設された補強ビームと、この補強ビームに係合するとともに前記天板の下面側に配された脚とを具備してなるテーブルであって、
前記天板が、他の天板を連接可能な連接端を備えた平面視四角形状のものであり、前記補強ビームの特定の側面に沿う位置に前記脚の上端部を添接させ得る添接部分を複数備えたものであり、
前記補強ビームが、前記特定の側面を前記連接端に平行に臨ませたものであり、前記特定の側面のみに、複数の取付位置において前記脚と係合し得る係合部を備えたものであり、
前記脚が、前記何れかの係合部に係合した状態で対応する添接部分に添接されているものであり、
前記補強ビームが、前記天板の連接端との間に前記添接部分を設け得る距離をあけて内側に控えた位置に配されているテーブル。
【発明の詳細な説明】
【技術分野】
【０００１】
本発明は、オフィスでの執務やミーティング等に使用するのに好適なテーブルに関する。
【背景技術】
【０００２】
従来、この種のテーブルとして、天板と、この天板の下面に添設された補強ビームと、この補強ビームに関連させて前記天板の下面に取付けられた脚とを具備してなるものが知られている。このようなテーブルのなかには、使用態様に応じて脚の取付け位置を変更することができるようにしたものも開発されている（例えば、特許文献１を参照）。
【０００３】
ところが、従来のものは、脚の取付け位置を変更する場合に、補強ビームの一部を天板から取り外したり追加したりする必要がある。そのため、脚の取付けに要する作業が複雑で時間を要するという問題がある。また、補強ビームを取り外して使用している期間は、その補強ビームを何れかの場所に別途保管しておかなければならないという面倒さがあり、その補強ビームを紛失してしまうという不具合も発生し得る。
【先行技術文献】
【特許文献】
【０００４】
【特許文献１】特開２０１３−９４２６８号公報
【発明の概要】
【発明が解決しようとする課題】
【０００５】
本発明は、以上のような事情に着目してなされたもので、補強ビームを天板から取り外すことなく脚の取付け位置を変更することができる使い勝手のよいテーブルを提供することにある。
【課題を解決するための手段】
【０００６】
すなわち、本発明は次の構成をなしている。
【０００７】
請求項１に記載の発明は、天板と、この天板の下面に添設された補強ビームと、この補強ビームに関連させて前記天板の下面に取付けられた脚とを具備してなるテーブルであって、前記天板が、他の天板を連接可能な連接端を備えた平面視四角形状のものであり、前記補強ビームの特定の側面に沿う位置に前記脚を取付けるための取付部を複数備えたものであり、前記補強ビームが、前記特定の側面を前記連接端に平行に臨ませたものであり、前記特定の側面のみに、複数の取付位置において前記脚と係合し得る係合部を備えたものであり、前記脚が、前記何れかの係合部に係合した状態で対応する取付部に取付けられているものであり、前記補強ビームが、前記天板の連接端との間に前記取付部を設け得る距離をあけて内側に控えた位置に配されているテーブルである。
【０００８】
このような構成によれば、係合部及びそれに対応する取付部を選択して脚を天板に取り付けることができ、脚の取付位置を変更する場合でも補強ビームを天板から取り外す必要はない。
【０００９】
請求項２に記載の発明は、前記天板の連接端側のコーナー部近傍に第一の取付部を設けるとともに前記コーナー部よりも内側に位置する部位に第二の取付部を設けている請求項１記載のテーブルである。
【００１０】
ここで「連接」とは、連結具を用いて離間不能に連結状態にする場合だけでなく、単に突き合わせて天板同士を隣接させる状態をも意味している。
【００１１】
請求項３に記載の発明は、前記脚が、前記補強ビームの係合部の何れかに係わり合わせて前記天板の対応する取付部に取付けられたブラケットと、このブラケットに止着された脚本体とを備えたものである請求項１又は２記載のテーブルである。
【００１２】
請求項４に記載の発明は、前記取付部が、前記天板の下面に埋設ナットを一定のパターンで配置してなるものであり、前記ブラケットが、前記複数の埋設ナットに対応する部位にボルト挿通孔を有したものである請求項３記載のテーブルである。
【００１３】
請求項５に記載の発明は、前記係合部が、前記補強ビームの前記側面に凹凸係合部分を設けたものであり、前記ブラケットが、前記側面に当接するビーム係接面を有し、そのビーム係接面に前記凹凸係合部分に係合する係合要素を設けたものである請求項３又は４記載のテーブルである。
【００１４】
請求項６に記載の発明は、前記ブラケットが、略直交する一対のビーム係接面を有し、前記各ビーム係接面に前記係合要素がそれぞれ設けられたものであり、何れかの一方のビーム係接面を前記補強ビームに当接させて前記取付部に取り付けられるものである請求項５記載のテーブルである。
【００１５】
請求項７に記載の発明は、前記凹凸係合部分が、丸孔状のものであって、水平方向に間隔をあけて前記補強ビームに一対設けられており、前記係合要素が突起状のものであって、水平方向に間隔をあけて前記ブラケットのビーム係接面に一対設けられている請求項６記載のテーブルである。
【００１６】
請求項８に記載の発明は、天板と、この天板の下面に添設された補強ビームと、この補強ビームに係合するとともに前記天板の下面側に配された脚とを具備してなるテーブルであって、前記天板が、他の天板を連接可能な連接端を備えた平面視四角形状のものであり、前記補強ビームの特定の側面に沿う位置に前記脚の上端部を添接させ得る添接部分を複数備えたものであり、前記補強ビームが、前記特定の側面を前記連接端に平行に臨ませたものであり、前記特定の側面のみに、複数の取付位置において前記脚と係合し得る係合部を備えたものであり、前記脚が、前記何れかの係合部に係合した状態で対応する添接部分に添接されているものであり、前記補強ビームが、前記天板の連接端との間に前記添接部分を設け得る距離をあけて内側に控えた位置に配されているテーブルである。
【発明の効果】
【００１７】
以上説明したように本発明によれば、補強ビームを天板から取り外すことなしに脚の取付け位置を変更することができるテーブルを提供することができる。
【図面の簡単な説明】
【００１８】
【図１】本発明の一実施形態を示す斜視図。
【図２】同実施形態における斜視図。
【図３】同実施形態における平面図。
【図４】同実施形態における平面図。
【図５】同実施形態における底面図。
【図６】同実施形態における部分拡大斜視図。
【図７】同実施形態におけるブラケットの底面図。
【図８】同実施形態におけるブラケットの平面図。
【図９】同実施形態におけるブラケットの斜視図。
【図１０】同実施形態におけるブラケットの斜視図。
【図１１】同実施形態における斜視図。
【図１２】同実施形態における斜視図。
【図１３】同実施形態における部分拡大斜視図。
【発明を実施するための形態】
【００１９】
以下、本発明の一実施形態を、図１〜１３を参照して説明する。
【００２０】
この実施形態は、本発明を、オフィスにおいて執務やミーティング用として柔軟に組み替えて使用されるテーブルＡに適用したものである。
【００２１】
このテーブルＡは、図１、及び、図２に示すように、天板１と、この天板１の下面に添設された補強ビーム２、３と、この補強ビーム２、３に関連させて前記天板１の下面に取付けられた脚４とを具備してなるものである。
【００２２】
この実施形態における前記天板１は、平面視正方形状をなすもので、中央部に平面視正方形をなす配線挿通窓１１を有している。そして、配線挿通窓１１に一対の配線カバー１２、１３が開閉可能に配されている。これらの配線カバー１２、１３は、回動端１２ａ、１３ａを背反させて配された外開き態様（図３参照）と、回動端１２ａ、１３ａ同士を向かい合わせて配される内開き態様（図４参照）とを選択的に採り得るようにして前記配線挿通窓１１に対して着脱可能に取り付けられている。
【００２３】
なお、図３に示す外開き態様においては、閉じた状態で、前記配線カバー１２、１３と前記配線挿通窓１１の開口縁との間に、平面視略環状をなすように隙間１４、１５が形成され、図４に示す内開き態様においては、平面視略Ｈ形をなすように隙間１４、１６が形成されるようになっている。
【００２４】
天板１の下面１ａには、前記配線挿通窓１１の下方に位置させて配線ダクト１７が設けられている。また、天板１の下面１ａにおける前記配線挿通窓１１を囲繞する部位には、前記補強ビーム２、３が配されている。この実施形態における天板１は、他の天板５（図１１を参照）が接続または隣接配置され得る連接端１ｂと、他の天板５と連接した連接状態において主として使用者が対面する使用端1ｃとを備えており、対をなす長い補強ビーム２が前記接続端１ｂに平行に配されており、対をなす短い補強ビーム３が前記使用端１ｃに平行に配されている。
【００２５】
この天板１は、長い補強ビーム２の特定の側面２ａに沿う位置に、前記脚４の上端部を添接させるための添設部分を有した部位、すなわち、前記脚４を取付けるための取付部１８、１９を複数備えている。具体的には、この天板１は、図５に示すように、下面１ａにおける連接端１ｂ側のコーナー部１ｄ、１ｅ近傍に、第一の取付部１８を備えているとともに、前記コーナー部１ｄ、１ｅよりも内側に位置する部位に、第二の取付部１９を備えている。第一、第二の取付部１８、１９は、例えば、四個の埋設ナット１８ａ、１９ａを天板１に所定のパターンに沿って埋設固定したものであり、一方のコーナー部１ｄ側に設けられる第一、第二の取付部１８、１９における埋設ナット配置パターンと、他方のコーナー部１ｅ側に設けられる第一、第二の取付部１８、１９における埋設ナット配置パターンとは、平面視において対称をなしている。すなわち、一方側の第一、第二の取付部１８、１９における埋設ナット配置パターンと、他方側の第一、第二の取付部１８、１９における埋設ナット配置パターンとは、相互にミラー対称を採るように設定されている。そして、図１〜６に示す様に、本テーブルＡを単独で用いる単独使用態様においては、天板１の四箇所のコーナー部１ｄ、１ｅに位置する四つの第一の取付部１８に、前記脚４がそれぞれ取付けられている。
【００２６】
前記補強ビーム２、３は、角パイプ状のもので、複数本のビス２ｂ、３ｂを用いて前記天板１の下面１ａに止着されている。前記長い補強ビーム２は、前記天板１の連接端１ｂよりも一定距離だけ内側に控えた位置に、当該連接端１ｂと平行となる姿勢で配されている。長い補強ビーム２は、図２、図１２、及び、図１３に示すように、その特定の側面２ａ、具体的には、対応する連接端１ｂに臨む外側の側面２ａに前記第一、第二の取付部１８、１９に対応する第一、第二の係合部２１、２２を備えている。第一の係合部２１は、水平方向に間隔をあけて形成された一対の凹凸係合部分２１ａ、２１ａを備えており、これと同様に、第二の係合部２２は、水平方向に間隔をあけて形成された一対の凹凸係合部分２２ａ、２２ａを備えている。これら凹凸係合部分２１ａ、２２ａは、具体的には、前記長い補強ビーム２の外側の側壁２ｃに穿設された丸孔状のものである。
【００２７】
なお、第一の係合部２１における凹凸係合部分２１ａ、２１ａ間には、長い補強ビーム２の外側及び内側の側壁２ｃ、２ｄを貫通するボルト挿通孔２１ｂが形成されており、第二の係合部２２における凹凸係合部分２２ａ、２２ａ間には、長い補強ビーム２の外側及び内側の側壁２ｃ、２ｄを貫通するボルト挿通孔２２ｂが形成されている。そして、前記ボルト挿通孔２１ｂ、２２ｂに挿通させたボルト２３により長い補強ビーム２と前記脚３とを結合している。
【００２８】
脚４は、長い補強ビーム２の係合部２１、２２の何れかに係わり合わせて前記天板１の対応する取付部１８、１９に取付けられたブラケット４１と、このブラケット４１に止着された脚本体４６とを備えたものである。
【００２９】
ブラケット４１は、例えば、アルミダイキャスト製のもので、第一、第二の取付部１８、１９における複数の埋設ナット１８ａ、１９ａに対応する部位にそれぞれボルト挿通孔４２ａを備えたブラケット本体４２と、このブラケット本体４２の内方端側に設けられた内方ブロック部４３と、前記ブラケット本体４２の外方端側に設けられた外方ブロック部４４と、前記内方ブロック４３の露出したビーム係接面４３ａを隠蔽するための隠蔽カバー４５とを備えたものである。
【００３０】
ブラケット本体４２は、平面視略菱形をなす盤状のものであり、その対角線に沿った部位には、厚肉のリブ４２ｂが形成されている。ボルト挿通孔４２ａは、前記リブ４２ｂの両側に位置させて二個ずつ設けられている。なお、ブラケット本体４２の上面には、図示しない天板連結用のプレートやオプション取付け用のプレートを挿入するための凹陥部４２ｃが形成されており、この凹陥部４２ｃに対応する部位に各種プレートを固定するためのビス挿通孔４２ｄが形成されている。
【００３１】
内方ブロック部４３は、その対角線を前記ブラケット本体４２の対角線と合致させた状態で、当該ブラケット本体４２に一体に形成された底面視略正方形状のもので、外方を向く直交二面に、前記長い補強ビーム２の側面２ａに当接するビーム係接面４３ａが設定されている。両ビーム係接面４３ａは、相互に直交するように形成されたもので、各ビーム係接面４３ａには、前記補強ビーム２の側面２ａに形成された第一の係合部２１の凹凸係合部分２１ａ、又は、第二の係合部２２の凹凸係合部分２２ａに係合する係合要素４３ｂがそれぞれ設けられている。係合要素４３ｂは、前記凹凸係合部分２１ａ、２２ａに嵌合し得る突起状のものである。
【００３２】
しかして、前記ブラケット４１は、何れかの前記ビーム係接面４３ａを前記補強ビーム２に当接させて前記前記第一の取付部１８、又は、第二の取付部１９に取り付けられるものである。
【００３３】
なお、この実施形態においては、前述したように、前記凹凸係合部分２１ａ、２１ａ、又は、２２ａ、２２ａが、丸孔状のものであって、水平方向に間隔をあけて前記補強ビーム２に一対設けられており、前記係合要素４３ｂ、４３ｂが突起状のものであって、水平方向に間隔をあけて前記ブラケット４１のビーム係接面４３ａに一対設けられている。前記ビーム係接面４３ａにおける前記係合要素４３ｂ、４３ｂ間には、ねじ孔４３ｃが設けられている。
【００３４】
外方ブロック部４４は、その対角線を前記ブラケット本体４２の対角線と合致させた状態で該ブラケット本体４２に一体に形成された底面視略正方形状のものである。換言すれば、この外方ブロック部４４は、上端面を前記ブロック本体４２の上面よりも下方に位置させて当該ブロック本体４２に一体に設けられたものであり、その上端部には鍔部４４ａが形成されている。この外方ブロック部４４の中心、及び、この外方ブロック部４４の中心に対応する前記ブラケット本体４２の外方端部には、当該ブラケット４１と前記脚本体４６とを結合するための結合ボルト４９が挿入されるボルト挿通孔４４ｂ、４２ｅが貫設されている。
【００３５】
脚本体４６は、ブラケット４１の外方ブロック部４４に下側から嵌合する角柱状の支柱４７と、この支柱４７の下端部に装着される接地体取付部４８とを備えたものであり、前記支柱４７の上端部近傍には前記ブラケット４１のボルト挿通孔４２ａに上方から挿入された結合ボルト４９が螺着される図示しないナットが剛結されている。接地体取付部４８は、前記支柱４７の下端部に圧入して取付けられるものでキャスタ等の図示しない接地体を取付けるためのねじ孔４８ａを備えている。
【００３６】
前述した単独使用態様においては、天板１の各コーナー部１ｄ、１ｅに脚４が取付けられている。詳述すれば、各脚４のブラケット４１は、長い補強ビーム２の第一の係合部２１に係合させた状態で、天板１の第一の取付部１８に取付けられている。この状態では、前記ブラケット４１のビーム係接面４３ａに設けられた一対の係合要素４３ｂが、前記長い補強ビーム２の端部に設定された第一の係合部２１を構成する一対の凹凸係合部分２１ａ、２１ａに係合している。そして、前記ボルト挿通孔２１ｂに挿通されたボルト２３を前記ブラケット４１の前記ねじ孔４３ｃに螺着することにより、このブラケット４１と前記補強ビーム２とが係合されている。このブラケット４１は、前記ボルト挿通孔４２ａに下側から装着したボルトＶを前記天板１の第一の取付部１８に配された埋設ナット１８ａに螺着することにより前記天板１に固定されている。
【００３７】
一方、前記天板１の何れかの連接端１ｂに他の天板５を連接させて使用する連接使用態様においては、天板１の各コーナー部１ｄ、１ｅよりも内方に位置した部位に脚４が取付けられている。詳述すれば、各脚４のブラケット４１は、長い補強ビーム２の第二の係合部２２に係合させた状態で、天板１の第二の取付部１９に取付けられている。この状態では、前記ブラケット４１のビーム係接面４３ａに設けられた一対の係合要素４３ｂ、４３ｂが前記長い補強ビーム２の中間部に設定された第二の係合部２２を構成する一対の凹凸係合部分２２ａに係合している。そして、前記ボルト挿通孔２２ｂに挿通されたボルト２３を前記ブラケット４１の前記ねじ孔４３ｃに螺着することによりこのブラケット４１と前記補強ビーム２とが接合されている。ブラケット４１は、前記ボルト挿通孔４２ａに下側から装着したボルトＶを前記天板１の第二の取付部２２に配された埋設ナット１９ａに螺着することにより前記天板１に固定されている。
【００３８】
このような構成のものであれば、単独使用態様から連接使用態様に移行する場合、他の天板５が連接する側の連接端１ｂに位置する脚４を移動させるだけでその移行作業を終わらせることができ、例えば、補強ビーム２、３を取り外したり取付けたりする作業が不要になる。
【００３９】
また、この実施形態においては、前記ブラケット４１に直交する二面のブラケット係接面４３ａを設け、各係接面４３ａに水平方向に間隔をあけた係合要素４３ｂ、４３ｂをそれぞれ設けているので、同一構造の脚４を全てのコーナー部１ｄ、１ｅに設けられた第一の取付部１８に適切に取付けることができる。しかも、その脚４を第二の取付部１９に移行させる際は、ボルトＶ、２３の取り外し作業と、ブラケット４１の水平移動作業と、当該ブラケット４１のボルトＶによる止着作業を主たる作業とするのみで、適切に対応することができる。
【００４０】
このような天板１に対する脚４の取付構造を備えたテーブルＡにおいては、配線カバー１３、１４を前述したような構成にしておけば、単独使用態様においても連接使用態様においても、執務形態に応じて適切な使用形態を設定することができるものとなる。
【００４１】
以上説明したように、本実施形態に係るテーブルＡは、天板１と、この天板１の下面１ａに添設された補強ビーム２と、この補強ビーム２に関連させて前記天板１の下面１ａに取付けられた脚４とを具備してなるものである。そして、天板１が、補強ビーム２の特定の側面２ａに沿う位置に前記脚４を取付けるための第一、第二の取付部１８、１９を複数備えている。補強ビーム２は、前記特定の側面２ａにおける前記第一、第二の取付部１８、１９に対応する箇所にそれぞれ前記脚４に係わり合う第一、第二の係合部２１、２２を備えたものであり、前記脚４が、前記第一、第二の係合部２１、２２の何れかに係合した状態で対応する第一、第二の取付部１８、１９に取付けられているものとなっている。このため、第一、第二係合部２１、２２及びそれに対応する第一、第二の取付部１８、１９を選択して脚４を天板１に取り付けることができるものとなる。この実施形態のものでは、脚４の取付位置を変更する場合でも補強ビーム２、３を天板１から取り外す必要がないため、その変更作業を極めて簡便に行うことができるものとなっている。
【００４２】
天板１が、他の天板５を連接可能な連接端１ｂを備えた平面視四角形状のものであり、前記補強ビーム２が、前記特定の側面２ａを前記連接端１ｂに平行に臨ませたものであり、前記天板１の連接端１ｂ側のコーナー部１ｄ、１ｅの近傍に第一の取付部１８を設けるとともに前記コーナー部１ｄ、１ｅよりも内側に位置する部位すなわち第一の取付部１８よりも内側に位置する部位に第二の取付部１９を設けている。このため、他の天板５を連接させる態様を採る場合において、使用者にとって好ましい下肢空間を形成するべく、特定の脚４の位置を天板１の使用端１ｃから遠ざかった位置に移動させることができるものとなる。
【００４３】
脚４が、前記補強ビーム２の第一、第二の係合部２１、２２の何れかに係わり合わせて前記天板１の対応する第一、第二の取付部１８、１９に取付けられたブラケット４１と、このブラケット４１に止着された脚本体４６とを備えている。このため、天板１の第一、第二の取付部１８、１９に対して、強度に優れた態様で脚４を取り付けるための設計の自由度に優れたものとなる。
【００４４】
第一、第二の取付部１８、１９が、前記天板１の下面１ａに埋設ナットを一定のパターンで配置してなるものであり、前記ブラケット４１が、前記複数の埋設ナット１８ａ、１９ａに対応する部位にボルト挿通孔４２ａを有したものである。このため、ブラケット４１を第一の取付部１８、又は第二の取付部１９に、ボルトＶを介して好適に取り付けることができるものとなっている。
【００４５】
第一、第二の係合部２１、２２が、前記補強ビーム２の側面２ａに凹凸係合部分２１ａ、２２ａを設けたものであり、前記ブラケット４１が、前記側面２ａに当接するビーム係接面４３ａを有している。そして、ビーム係接面４３ａが、凹凸係合部分２１ａ、２２ａに係合する係合要素４３ｂを備えている。このため、ブラケット４１の係合要素４３ｂを補強ビーム２の凹凸係合部分２１ａ、２２ａに係わり合わせ、好適に位置決めすることができるものとなる。
【００４６】
ブラケット４１が、略直交する一対のビーム係接面４３ａを有している。そして、各ビーム係接面４３ａに係合要素４３ｂがそれぞれ設けられたものであり、何れかの一方のビーム係接面４３ａを前記補強ビーム２に当接させて前記第一、第二の取付部１８、１９に取り付けられるものである。このため、ブラケット４１を、特定の中心線から左右対称形状に形成することができるものとなり、ブラケット４１を同一形状の部品として、各脚４のブラケット４１としてそれぞれ適用することができるものとなる。
【００４７】
補強ビーム２の凹凸係合部分２１ａ、２２ａが、丸孔状のものであって、水平方向に間隔をあけて当該補強ビーム２に一対設けられている。そして、ブラケット４１の係合要素４３ｂが突起状のものであって、水平方向に間隔をあけて当該ブラケット４１のビーム係接面４３ａに一対設けられている。このため、補強ビーム２とブラケット４１との位置決めを好適に行うことができるものとなる。
【００４８】
なお、本発明は、以上に詳述した実施形態に限られるものではない。
【００４９】
例えば、天板の形状や、脚の形状については、種々の形状を適用することができるものであり、本実施形態に示されたものに限定されたものではない。
【００５０】
脚は、補強ビームに対してのみ、ボルト等の止着具を用いて止着されたものであってもよい。換言すれば、脚は、必ずしも、止着具を用いて天板に直接的に取り付けられたものでなくてもよい。すなわち、このようなテーブルとしては、例えば、天板が、脚の上端部を添接させ得る添接部分を複数備えたものであり、補強ビームが、特定の側面における前記添接部分に対応する箇所にそれぞれ前記脚に係わり合う係合部を備えたものであり、前記脚が、前記何れかの係合部に係合した状態で対応する添接部分に添接されているものが考えられる。
【００５１】
ブラケットの形状や材質についても、本発明の趣旨を逸脱しない範囲で、適宜変更可能であることは言うまでもない。
【００５２】
その他、各部の具体的構成についても上記実施形態に限られるものではなく、本発明の趣旨を逸脱しない範囲で種々変形が可能である。
【符号の説明】
【００５３】
Ａ…テーブル
１…天板
２、３…補強ビーム
４…脚
１８…取付部（第一の取付部）
１９…取付部（第二の取付部）
２１…係合部（第一の係合部）
２２…係合部（第二の係合部）
【図１】
0006750204.tif 000002
【図２】
0006750204.tif 000003
【図３】
0006750204.tif 000004
【図４】
0006750204.tif 000005
【図５】
0006750204.tif 000006
【図６】
0006750204.tif 000007
【図７】
0006750204.tif 000008
【図８】
0006750204.tif 000009
【図９】
0006750204.tif 000010
【図１０】
0006750204.tif 000011
【図１１】
0006750204.tif 000012
【図１２】
0006750204.tif 000013
【図１３】
0006750204.tif 000014